(57)【要約】【課題】切削刃を自転するとともに公転させることにより静粛な竹又は木材を切削する機械を提供すること。【解決手段】本体に固定筒を設置すると共に、回転筒を該固定筒上に回転自在に設け、固定筒に内歯車を設けると共に、回転筒に回転自在に前記内歯車と噛み合うピニオンを設け、ピニオンに傾斜した円筒状の切削刃をもうけ、回転筒が回転すると共に前記切削刃が自転すると共に公転し、被切削物を切削するようにしたので、振動の少ない切削速度の速い切削物を得ることができる。【選択図】図４
2006231892.tif 000002
【特許請求の範囲】
【請求項１】
本体の上方に、固定筒を取付け、前記本体の上方前部にモータを取付け、前記固定筒の側壁後方に内歯車を取り付けると共に、前記固定筒の中央部上部に切り欠き窓を設け、切削刃の点検及び交換を自在にし、前記固定筒の中央部下部に切り欠き窓を設け切削くずが落下可能とすると共に、回転筒を前記固定筒に回転自在に軸支し、前記モータにより前記回転筒を回転させ、前記回転筒には、前記内歯車と噛み合うピニオン、及び該ピニオンと一体に固定された略円筒状の切削刃が回転筒上で回動自在に軸支され、切削刃は、本体後方にいくに従って被切削物の中心軸と離れるように傾斜して設けられ、切削刃が自転すると共に公転することにより、被切削物を切削する切削機械。
【請求項２】
請求項１において、切削刃は本体後部にいくに従って捩れていることを特徴とする切削機械。
【請求項３】
請求項１、２において、回転筒後方に主パイプを一体に設け、該主パイプに数種の直径の異なった補助パイプを着脱自在にできるようにした切削機械。
【請求項４】
請求項３において、補助パイプが切削刃に近い方向に偏心して取り付けることができるようにした切削機械。
【請求項５】
請求項１〜４において、固定筒の中央部上方の切り欠き窓を覆うカバーを設けたことを特徴とする切削機械。
【発明の詳細な説明】
【技術分野】
【０００１】本発明は、静音と低振動を図った竹及び木材の切削機械に関する。
【背景技術】
【０００２】従来、特開平９−７０２８０号公報によると、薬品など特定物質を対象としたものでなく、生鮮食料品を対象として、酸化防止用作用、抗菌作用、殺菌作用などを有する生鮮食料品の鮮度保持剤とその製造方法および生鮮食料品の鮮度保持方法を提供することを課題として、多孔質化した竹を含有することを特徴とする生鮮食料品の鮮度保持材とし、竹としては、水蒸気の存在下で加熱及び加圧したり、飽和水蒸気の雰囲気下で加熱及び加圧したりすることにより多孔質化した竹がよく、多孔質化した竹が粉末であってもよいとされている。すなわち竹の粉末は、酸化防止作用、抗菌作用、殺菌作用があることがわかっている。
したがって、食物用植物例えば大根、ほうれん草を蒔き、その上に粉末にした竹を蒔いておけば、防虫や殺菌作用があり、おいしい大根やほうれん草を収穫することができる。【０００３】また、特開平１１−１３９９８２号公報には、発癌を抑制する効果が高く、副作用がない発癌抑製薬を提供することを課題に、主原料が竹の粉末であって、特にその竹が３年以上の竹の小枝が付いている部分より下の部分の稈、もしくは、２〜４月に伐採したものであり、この竹にかぼちゃの種子の粉末と、にんにくの粉末と、粉末チーズと、小麦粉と、水とが混合され、この混合物が熟成されたものが発癌抑制に効果的といわれている。
この記載からみても、竹の粉末が発癌作用に有効であるということである。
ちなみに、竹の粉末は、癌作用にも効果があるといわれているから、竹を粉末にして煎じて飲めば、癌に効果的である。【０００４】上記のように、竹の粉末は、種々の効果があり、従来から簡便に、しかも、すばやく、竹を粉末にする機械が要望されていた。また、竹の粉末を種々のサイズのものを手軽に手に入れることは、従来から要望されていた。【０００５】従来の竹又は木材を削る機械は、被切削物を側方に押圧し、軸方向へ当接させる方法を用いたものがある（例えば、特許文献１参照）【０００６】以下、図６により従来の竹又は木材を削る機械について説明する。
図において、１１１位置決めガイド機構により被切削物１０９を側方に押圧し、かつ被切削物１０９の軸方向にあっては、当接用側壁１１２に当接し、当接用側壁の一端部は回転切削刃１０７に臨んでおり、種々の被切削物の直径に対応して、回転切削刃を回転させることにより削る方式であった。
【特許文献１】特開２００３−２３６４０３号公報
【発明の開示】
【発明が解決しようとする課題】
【０００７】この方式によると、切削に際して、被切削物が直角方向に２方向から押圧されるため、被切削物の直径が異なったとき均一に削れないし、動作特性がはなはだ悪いという欠点があった。また、切削するに際して、回転切削刃及び被切削物が直線運動をするため、上記の欠点を有するほか、切削の際、機械が振動を起こしうまく切削がなされない恐れがあった。【０００８】本発明は、上記従来の機械の欠点を解決するために、振動を極力少なくし、円滑に削れ、装置自体も、コンパクトになり、置き場所を取らない竹又は木材の削り機を提供することを目的とするものである。
【課題を解決するための手段】
【０００９】本発明は、上記目的を達成するために、切削刃を回転すると同時に公転させて切削するようにし、直径の異なる大小の被切削物に応じて、例えば竹、木材等を直径の異なるものの場合、必要に応じて補助パイプを装着し、迅速に切削できるようにしまた、切削刃が、被切削物に対してよじれるように配置され、切削刃が被切削物に対して食い込むように入るようにし、また、透明のカバーで切削刃を覆ったので、切削時の動作状況をみながら、かつ、切削くずを飛散させずに、監視でき、必要に応じて、カバーを開け必要な切削刃と交換して粉末の大小を選択することができるようにしたものである。
【発明の効果】
【００１０】上述したように本発明の竹及び木材の切削機械はコンパクトであり、静かで振動をさせない、スムーズに、しかも均一に竹及び木材を切削させることができるようした機械を提供できる。
【請求項１発明の効果】
【００１１】切削刃を回転するようにして被切削物を切削するので、切削に際して被切削物の材質に関係なくスムーズに切削することができ、振動が極力抑えられ、細かい均一な切削くずが得られる。
【請求項２発明の効果】
【００１２】切削刃を、被切削物の軸方向に捩れるようにして少量角度傾けたので、よりスムーズな切削が得られ、材料に不均一な部分があったとしても、より振動を低減することができる。
【請求項３発明の効果】
【００１３】補助パイプ３０、３１をそろえ、主パイプに着脱自在にしたので、異なった直径の被切削物に対しても、適宜対応でき、いたずらに空回りなどして騒音をたてるのを防ぐことができる。
【請求項４発明の効果】
【００１４】補助パイプを偏心した位置に取り付けたので、被切削物を少ない押し込みで効率よく切削することができる。
【請求項５発明の効果】
【００１５】固定筒中央切り欠き窓を覆うようにカバーを設けたので、切削の状況が分かると同時に、切削くずが飛散せず、また、据え置き時不用意に手を触れてケガを防止すると同時に、必要に応じてカバーを開け、切削刃の交換等もできる効果がある。
【発明の実施するための最良の態様】
【００１６】以下、本発明の具体化した実施の態様を図１〜図５を参照して説明する。
【００１７】図１は、本発明の切削機械の正面図であり、本体１は、脚部を３乃至４有して、土台に安定して設置され、その上部に設けられた台座２が水平に保たれるように設置される。本体１は、上部に台座２を有しており、台座２の前方の側方には、モータ、好ましくはギヤードモータ３が設置されている。（いま、仮に、左側を前方、右側を後方というものとする。）
そして、台座２の中央部には、固定筒２２が固定されている。
【００１８】固定筒２２は、円筒形であり、前方に側壁を有しており、後方は開口している。固定筒２２は、モータ３の軸を軸継ぎ手１９を介して、固定筒の側壁６を貫通し、軸受け１３で軸支している。回転筒１０は、固定筒２２に軸受け１１、１３で軸支されており、回転自在になっている。
【００１９】回転筒１０は、円筒形をしており、前方が側壁で閉じられており、後方は被切削物９が挿入可能に開口されている。
そして、回転筒１０は、固定筒２２上で軸受け１１、１３により軸支され、回転自在になっている。
【００２０】固定筒２２は、軸受け１３に対してモータ３の反対方向、すなわち後方に内歯車１２を有している。内歯車１２は、後述するピニオン１５と噛み合い切削刃７を回転させ、被切削物９を切削する。
固定筒２２の中央部下方には切り欠き窓が設けられており、切削くずが円滑に下方に落ちるように下方に落下穴１７が設けられている。
また、固定筒２２の中央部上方には、切り欠き窓が設けられ、切削刃７の点検及び取り替えのための開口があけられ、切削刃は取り外し可能になっており、切削刃及び上方切り欠き窓を覆うように透明なカバー１８が設けられている。
【００２１】回転筒１０の中央部に切り欠き窓が設けられ、切り欠き窓を斜めに突っ切るようにピニオン１５、軸１４、円筒状の切削刃７が、軸受け１６、２１により軸支されている。
したがって、切削刃及びピニオン１５は、キー等で軸１４上で一体となっており、回転筒１０上で回転自在である。
切削刃７、軸１４は、傾斜して軸受け１６、２１で支えられており、前方から後方にいくに従い被切削物９の中心軸から離れるように傾斜している。この傾斜角度は、好ましくは、２０°の角度で取り付けられている。
切削刃７は、周知のものでよいが、全体形状は、円筒状で、円筒面に多数の切削刃が、ランダムに取り付けられたものが好ましい。
また、切削刃は、切削くずの大きさを適宜選択できるように、刃の大きさ、間隔等のことなったものを、数種用意しておくのが好ましい。
【００２２】図２は平面図で、切削刃７は、被切削物の中心軸に沿って、捩れるように配置されている。
すなわち、静止した図１、２を参照して、正面図（図１）からも、切削刃７は、被切削物の中心軸から上方斜めに離れるように傾斜し、かつ、平面図（図２）からも、切削刃７は、被切削物の中心軸から離れるように傾斜している。回転方向に食い込むように右に傾斜して設置されている。静止した状態で、上部からみて傾斜角度は、１５°のが好ましい。
【００２３】回転筒１０は、主パイプと一体になっていて、固定筒２２に軸受け１１、１３で回転自在に軸受けされている。主パイプは、本体１の台座２、及び固定筒の後方端部から若干突出しており、通常直径は１０ｃｍ程度であるがこれより大きくてもよい。
【００２４】図５に示すように、主パイプ１０に補助パイプ３０、３１が係合爪３２、３３等で着脱自在に装着できるようにして、備品として備えてある。例えば、主パイプが１０ｃｍのものであれば、８ｃｍ、６ｃｍ、４ｃｍ等種々の複数の補助パイプを備えておき、細い被切削物のときには、主パイプに適当な補助パイプを装着して被切削物を押し込めば、切削の時に雑音を少なくすることができる。
【００２５】補助パイプ３０、３１は、個々に主パイプに取り付けてもよいし、重層状に取り付けてもよい。
【００２６】５はホッパーであり、円錐台上の外観をしており、切削くずを落下穴１７から誘導して、容器４に効率よく誘導して落とすことができ、切削されたくずは、容器５に蓄え、必要に応じて切削されてくずを使うことができる。
【００２７】１８は、カバーで、固定筒の中央上部の切り欠き窓及び回転筒の切り欠き窓に突っ切った切削刃７を覆っており、かつ透明なプラスチック等で作られるのが好ましい。このカバー１８により、切削の際、切削の状況を見ることができると共に、切削くずが飛散するのを防止する働きや、使わないときに不意に切削刃に手などが触れてけがをしないようにしてある。
【００２８】補助パイプ３０，３１は、偏心して取り付けてもよい。すなわち、切削刃に被切削物が近づくように、係合爪をもうければ、種々の補助パイプを、偏心して、被切削物が切削刃に近づくように取り付けると、より効率的に、雑音が少なく切削することができる。
【作用及び動作】
【００２９】まず切削刃７をセットし、容器４を本体１の下方におく。被切削物、特に竹又は木材を主パイプにセットし、モータの電源を入れる。モータの回転に従って、回転筒１０は、回転し、ピニオン１５は、内歯車１２と噛み合っているので、回転筒１０が回転する毎に、ピニオンが回転し、ピニオン１５に軸１７で一体となった切削刃７は、自転しながら公転する。そして、被切削物が押し込まれれば、被切削物が切削される。適宜被切削物を押し込めば、順次、被切削物が切削される。
【００３０】被切削物の直径の小さなものであれば、補助パイプの直径の小さなものを主パイプに固定させ、上記と同じように切削する。上述のように、補助パイプは、単層で固定させてもよいし、重層で固定させてもよい。
【００３１】補助パイプは、偏心させて固定してもよい。このとき、単層であってもよいし、重層状で固定させてもよい。
【００３２】山、里に竹の利用頻度が少ないので密集している。畑を利用する人が減少している。しかし、見直す時期であり、必ずや無農薬野菜作りは注目を浴びることとなる。
【図面の簡単な説明】
【００３３】
【図１】実施例の正面図
【図２】実施例の上から見た平面図である。
【図３】実施例の右側面からみた側面図である。
【図４】本件切削機械の切削部分の詳細図である。
【図５】（ａ）は、直径の比較的大きな、例えば８ｃｍ程度の被切削物を切削するときに使う補助筒である。（ｂ）は、直径の比較的小さな、例えば６ｃｍ程度の被切削物を切削する時に使う補助筒である。
【図６】従来例の切削機械である。
【符号の説明】
【００３４】  １・・・本体
２・・・固定筒及び固定台
３・・・モータ
４・・・容器
５・・・ホッパー
６・・・固定筒の側壁
７・・・切削刃
８・・・回転筒の後方側軸受け
９・・・被切削物
１０・・・回転筒
１１・・・軸受け
１２・・・内歯車
１３・・・軸受け
１４・・・軸
１５・・・ピニオン
１６・・・軸受け
１７・・・落下穴
１８・・・カバー
１９・・・軸継ぎ手
２１・・・前部の回転軸軸受け
２２・・・固定筒
３０・・・補助筒
３１・・・補助筒
３２・・・係合用爪
３３・・・係合用爪
【図１】
2006231892.tif 000003
【図２】
2006231892.tif 000004
【図３】
2006231892.tif 000005
【図４】
2006231892.tif 000006
【図５】
2006231892.tif 000007
【図６】
2006231892.tif 000008